【手続補正書】
【提出日】平成24年5月14日(2012.5.14)
【手続補正１】
【補正対象書類名】特許請求の範囲
【補正対象項目名】全文
【補正方法】変更
【補正の内容】
【特許請求の範囲】
【請求項１】
弾道物に抵抗するための防護服物品であって、
少なくとも７．３グラム／ｄｔｅｘの引張強さと少なくとも１００グラム／ｄｔｅｘのモジュラスを有する糸から織成された複数の織布層と、
ランダム配向繊維の不織シートおよび／または非繊維状フィルムを含んでなる複数のシート層であって、前記シート層の各々が、少なくとも０．０１３ｍｍの厚みを有し、かつ少なくとも６００ｍ／秒の平均音速を有する前記シート層とを含んでなり、
前記織布層とシート層が一緒に積層され、順番に少なくとも１層の前記織布層とその上の少なくとも１層の前記シート層との繰り返し単位を少なくとも２つ含む第一芯部を構成し、
前記シート層が、前記物品の総重量の０．５〜３０重量％を構成し、ここで、前記織布層と前記シート層が、それらの表面積の１０％以下だけで一緒に接合され、前記層の残りの全てまたは大部分を隣接層に対して横に移動させるおよび／または離れさせるようになっている、前記物品。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
本発明は、本開示の一部を形成する例証的で好適な実施形態の以下の詳細な説明を参照することにより、さらに容易に理解されるであろう。特許請求の範囲は本明細書に記載されるおよび／または示される具体的なデバイス、方法、条件もしくはパラメーターに限定されず、本明細書に用いられる専門用語は一例としてのみ特定の実施形態を記載する目的のためのものであり、そして特許請求される本発明を限定することを意図されないことが理解されるべきである。また、添付される特許請求の範囲を含む本明細書で用いられるように、単数形（「ａ」、「ａｎ」、および「ｔｈｅ」）は複数を含み、ある特定の数値についての言及は、文脈が特に明らかに指示しない限り、少なくともその特定値を含む。値の範囲が表される場合、別の実施形態は、１つの特定の値からおよび／または他の特定の値までを含む。同様に、値が、先行する「約」を用いて、近似値として表される場合、特定の値は、別の実施形態を形成すると理解されるであろう。すべての説明、限定および範囲は、包括的であり、そして組み合わせ可能である。
【手続補正５】
【補正対象書類名】明細書
【補正対象項目名】００１２
【補正方法】変更
【補正の内容】
【００１２】
本発明は、弾道物に抵抗するための防護服物品１０に関する。防護服物品１０は、防護服に組み込まれるためのものであり、一緒に積層され、第一芯部１６を構成する、複数の織布層１２と複数のシート層１４を含んでなる。第一芯部１６は、順番に少なくとも１層の織布層１２とその上の少なくとも１層のシート層１４との繰り返し単位２２を少なくとも２つ含む。シート層１４は、物品の総重量の０．５〜３０重量％を構成する。
【手続補正６】
【補正対象書類名】明細書
【補正対象項目名】００３６
【補正方法】変更
【補正の内容】
【００３６】
芯部１６は、順番に少なくとも１層の織布層１２とその上の少なくとも１層のシート層１４との繰り返し単位２２を少なくとも２つ含むのが好ましい。繰り返し単位２２は、１層だけの織布層１２と少なくとも２層のシート層１４を順番に含んでなってもよい。繰り返し単位２２は、別の方法として或いは加えて、少なくとも２層の織布層１２と１層だけのシート層１４を順番に含んでもよい。本発明では、複数のシート層に隣接して積層された複数の織布層を有する繰り返し単位２３の一実施形態を含む。好ましくは３〜５０、さらに好ましくは５〜４０、なおさらに好ましくは８〜３５の繰り返し単位２２、２３が存在する。
【手続補正７】
【補正対象書類名】明細書
【補正対象項目名】００３７
【補正方法】変更
【補正の内容】
【００３７】
芯部１６は、一方の端に織布層１２そして他方の末端にシート層を有することができる。別の方法として、芯部２４は、両端に織布層１２を有することができる。
【手続補正８】
【補正対象書類名】明細書
【補正対象項目名】００３８
【補正方法】変更
【補正の内容】
【００３８】
芯部１６は、第一被弾端面３０と第二の身体に面する端面３２とを有する。物品４０は、第一被弾部４２と身体に面する部分４４をさらに含んでなってもよい。第一被弾部４２は、一緒に積層された複数の織布層１２を含んでなり、芯部１６の第一被弾端面３０上に積層されうる。身体に面する部分４４は、一緒に積層された複数の織布層１２を含んでなり、芯部１６の身体に面する部分３２上に積層されうる。
【手続補正９】
【補正対象書類名】明細書
【補正対象項目名】００４０
【補正方法】変更
【補正の内容】
【００４０】
芯部５０は、複数の芯部の細区分（ｃｏｒｅ  ｓｕｂｓｅｃｔｉｏｎ）５２、５４を含んでなることが可能であり、各芯部の細区分５２、５４は、繰り返し単位５６を有する。
【手続補正１０】
【補正対象書類名】明細書
【補正対象項目名】００４２
【補正方法】変更
【補正の内容】
【００４２】
織布層１２とシート層１４は、それらの表面積の１０％以下だけで一緒に接合され、層の残りの全てまたは大部分を隣接層に対して横に移動させるおよび／または離れさせるのが好ましい。層は、縁でおよび／またはクロスパターン（×）で、両方で、或いはキルトに一般に施される正方形のパターンで、縫合または接着もしくは溶融接合により、接合されうる。ステッチパターンは、追加の縁のステッチを伴うキルティングステッチパターンと呼ばれる。それらは、さらに好ましくは層の表面積の５％未満、なおさらに好ましくは３％未満で接合される。さらにステッチパターンが、正方形である場合、ステッチ間隔６０は、好ましくは約４８〜約５４ｍｍ、さらに好ましくは約５０〜約５２ｍｍである。「ステッチ間隔」を、層の面上の正方形のステッチパターン内の隣接する平行なステッチ間の距離６０と定義する。同様に、ステッチ長さ６２は、好ましくは約３〜約７ｍｍ、さらに好ましくは約４〜約６ｍｍである。「ステッチ長さ」を、層の面を横切るステッチ糸の最短の繰り返し長さ６２と定義する。
【手続補正１１】
【補正対象書類名】明細書
【補正対象項目名】００９８
【補正方法】変更
【補正の内容】
【００９８】
【表４】
2011522201.tif 000001
【表５】
2011522201.tif 000002
【表６】
2011522201.tif 000003
次に、本発明の態様を示す。
1.  弾道物に抵抗するための防護服物品であって、
少なくとも７．３グラム／ｄｔｅｘの引張強さと少なくとも１００グラム／ｄｔｅｘのモジュラスを有する糸から織成された複数の織布層と、
ランダム配向繊維の不織シートおよび／または非繊維状フィルムを含んでなる複数のシート層であって、前記シート層の各々が、少なくとも０．０１３ｍｍの厚みを有する前記シート層とを含んでなり、
前記織布層とシート層が一緒に積層され、順番に少なくとも１層の前記織布層とその上の少なくとも１層の前記シート層との繰り返し単位を少なくとも２つ含む第一芯部を構成し、
前記シート層が、前記物品の総重量の０．５〜３０重量％を構成する物品。
2.  前記糸が、５０〜４５００ｄｔｅｘの線密度、１０〜６５ｇ／ｄｔｅｘの引張強さ、１５０〜２７００ｇ／ｄｔｅｘのモジュラス、および１〜８パーセントの破断時伸びを有する上記１に記載の物品。
3.  前記糸が、ポリアミド、ポリオレフィン、ポリアゾール、およびそれらの組み合わせからなる群から選択されるポリマーから作られるフィラメントで作製される上記１に記載の物品。
4.  前記織布シートが、マトリックス樹脂で包覆も被覆もされていない上記１に記載の物品。
5.  前記シート層の各々が、０．１５２ｍｍ以下の厚みを有する上記１に記載の物品。
6.  前記シート層が、ジカルボン酸とジヒドロキシアルコールとの重縮合生成物、イオノマー、熱可塑性フルオロポリマー、ポリオレフィン、ポリイミド、およびそれらの組み合わせからなる群から選択される材料で作製される上記１に記載の物品。
7.  前記シート層の各々が、少なくとも６００ｍ／秒の平均音速を有する上記１に記載の物品。
8.  前記シート層の各々が、１〜５の最小破断点歪み値に対する最大破断点歪み値の比を有する上記１に記載の物品。
9.  前記シート層が、等方性または実質的に等方性である上記１に記載の物品。
10.  前記芯部が、３〜６０層の前記織布層と３〜６０層の前記シート層を含む上記１に記載の物品。
11.  ３〜５０の前記繰り返し単位が存在する上記１に記載の物品。
12.  前記芯部が、第一被弾端面と身体に面する端面を有し、前記物品が、第一被弾部と身体に面する部分をさらに含んでなり、前記第一被弾部が、一緒に積層された複数の前記織布層を含んでなり、前記芯部の前記第一被弾端面の上に積層され、前記身体に面する部分が、一緒に積層された複数の前記織布層を含んでなり、前記芯部の前記身体に面する面の上に積層された上記１に記載の物品。
13.  前記第一被弾部が、一緒に積層された２〜３０層の織布層を有し、前記身体に面する部分が、一緒に積層された２〜３０層の織布層を有する上記１２に記載の物品。
14.  前記芯部が、織布端面とシート端面を有し、前記芯部の前記シート端面の上に積層された少なくとも１層の前記織布層をさらに含んでなる上記１に記載の物品。
15.  前記芯部が、複数の芯部の細区分を含んでなり、芯部の細区分の各々が繰り返し単位を備える上記１に記載の物品。
16.  前記物品が、２０００年９月に発行された、ＮＩＪ規格−０１０１．０４「Ｂａｌｌｉｓｔｉｃ  Ｒｅｓｉｓｔａｎｃｅ  ｏｆ  Ｐｅｒｓｏｎａｌ  Ｂｏｄｙ  Ａｒｍｏｒ」に基づいた、１４３０フィート／秒プラスまたはマイナス３０フィート／秒（４３６ｍ／秒プラスまたはマイナス９ｍ／秒）の発射体の速度（Ｖo）で、４４ｍｍ以下の背面変形を有する上記１に記載の物品。
17.  前記織布層と前記シート層が、それらの表面積の１０％以下だけで一緒に接合され、前記層の残りの全てまたは大部分を隣接層に対して横に移動させるおよび／または離れさせる上記１に記載の物品。
18.  前記織布層と前記シート層が、一緒に積層され、２．５〜５．７ｋｇ／ｍ2の面密度を有する上記１に記載の物品。